(57)【特許請求の範囲】
【請求項１】
前段にＭ（Ｍは１以上の整数）個の１入力Ｋ（Ｋは２以上の整数）出力の第１のアレイ導波路格子、後段にＮ（Ｎは２以上の整数）個のＫ入力１出力の第２のアレイ導波路格子と、前記第１のアレイ導波路格子の出力ポートと前記第２のアレイ導波路格子の入力ポートとを接続する光接続路から構成され、
前記第１および第２のアレイ導波路格子は、自由スペクトル領域が波長チャネル間隔のＫ倍であり、かつ、各ポートにKチャネル間隔の光波長が分波されるカラーレス型アレイ導波路格子であって、前記第１のアレイ導波路格子と前記第２のアレイ導波路格子とは、前記第１のアレイ導波路格子における中央出力ポートの透過波長と、前記第２のアレイ導波路格子における中央入力ポートの透過波長が、ｎＫ＋Ｌチャネル（ｎは０以上の整数、ＬはＫ／２に最も近い整数）ずれるように接続されたことを特徴とする光波長群クロスコネクト装置。
【請求項２】
前記光接続路が、Ｍ×Ｋ入力Ｎ×Ｋ出力の光スイッチであることを特徴とする請求項１記載の光波長群クロスコネクト装置。
【請求項３】
前記光接続路が、Ｋ個のＭ入力Ｎ出力光スイッチから構成されていることを特徴とする請求項１記載の光波長群クロスコネクト装置。
【請求項４】
前記第１のアレイ導波路格子と前記第２のアレイ導波路格子の数が等しく、Ｍ＝Ｎであることを特徴とする請求項１乃至３のいずれかに記載の光波長群クロスコネクト装置。
【請求項５】
前記第１のアレイ導波路格子が１個であって、Ｍ＝１であることを特徴とする請求項１乃至３のいずれかに記載の光波長群クロスコネクト装置。
【請求項６】
前段に１個の１入力Ｋ（Ｋは２以上の整数）出力の第１のアレイ導波路格子、後段に１個のＫ入力１出力の第２のアレイ導波路格子と、前記第１のアレイ導波路格子の出力ポートおよびアド方路と前記第２のアレイ導波路格子の入力ポートとを接続するＫ個の２入力１出力光スイッチから構成され、
前記第１および第２のアレイ導波路格子は、自由スペクトル領域が波長チャネル間隔のＫ倍であり、かつ、各ポートにKチャネル間隔の光波長が分波されるカラーレス型アレイ導波路格子であって、前記第１のアレイ導波路格子と前記第２のアレイ導波路格子とは、前記第１のアレイ導波路格子における中央出力ポートの透過波長と、前記第２のアレイ導波路格子における中央入力ポートの透過波長が、ｎＫ＋Ｌチャネル（ｎは０以上の整数、ＬはＫ／２に最も近い整数）ずれるように接続されたことを特徴とする光波長群クロスコネクト装置。
【発明の詳細な説明】
【技術分野】
【０００１】
本発明は、光波長群クロスコネクト装置に関し、より詳細には、カラーレスＡＷＧを使用した構成の光波長群クロスコネクト装置に関する。
【背景技術】
【０００２】
ブロードバンド通信サービスの普及により、光通信ネットワークの大容量化要求がますます高まっている中、多数の光波長信号を一括に伝送する光波長多重（Ｗａｖｅｌｅｎｇｔｈ  Ｄｉｖｉｓｉｏｎ  Ｍｕｌｔｉｐｌｅｘｉｎｇ：ＷＤＭ）伝送は、ネットワークの伝送容量を飛躍的に増大させる技術として重要である。一方、シリコン等の基板上に形成した石英系ガラス導波路によって構成された平面光波回路（Ｐｌａｎａｒ  Ｌｉｇｈｔｗａｖｅ  Ｃｉｒｃｕｉｔ：ＰＬＣ）は、多様な光デバイスの基盤技術として盛んに研究開発が行われている。かかるＰＬＣ技術を利用したアレイ導波路格子（Ａｒｒａｙｅｄ−Ｗａｖｅｇｕｉｄｅ  Ｇｒａｔｉｎｇ：ＡＷＧ）は、多数の光波長を合波あるいは分波する機能を有し、熱光学光スイッチ（Ｔｈｅｒｍｏ−Ｏｐｔｉｃ  ＳＷｉｔｃｈ：ＴＯＳＷ）は、伝播する光信号を任意の方路に切替える機能を有している（非特許文献１参照）。ＡＷＧとＴＯＳＷを組合せて構成される光波長クロスコネクト装置やその派生である可変光アドドロップ装置（Ｒｅｃｏｎｆｉｇｕｒａｂｌｅ  Ｏｐｔｉｃａｌ  Ａｄｄ  Ｄｒｏｐ  Ｍｏｄｕｌｅ：ＲＯＡＤＭ）は、任意の光波長を任意の方路に切替えて接続する機能を有し、ＷＤＭ伝送システムにおいて重要な役割を果たしている（非特許文献２参照）。
【０００３】
光波長クロスコネクト装置の一形態として、カラーレスＡＷＧを使用した光波長群クロスコネクト装置の検討がなされている。ここでカラーレスＡＷＧとは、ＡＷＧの自由スペクトル領域を、その波長チャネル間隔の整数倍に設定し、ＡＷＧの各ポートに一定のチャネル数間隔の光波長が分波されるように設計されたＡＷＧである。カラーレスＡＷＧを使用した光波長群クロスコネクト装置は、複数の光波長からなる光波長群ごとの方路切り替え装置として機能し、ＷＤＭ伝送システムの更なる高機能化、合理化に寄与できると考えられている。
【０００４】
図３０はカラーレスＡＷＧの合分波特性の例を示したものである。左図３００１〜３００３はカラーレスＡＷＧの模式図であり、３００１は入力ポート、３００２はカラーレスＡＷＧ回路、３００３は出力ポートである。本例のカラーレスＡＷＧは入力ポート数１出力ポート数５（１×５）であり、入力ポート側から光波長多重信号を入力し各出力ポートへ分波する、あるいは各出力ポートから入力した各光波長信号を入力ポートへ合波する機能を有する。波長チャネル間隔は０．８ｎｍ（１００ＧＨｚ）、自由スペクトル領域は５チャネルすなわち４．０ｎｍに設計されている。右図は本カラーレスＡＷＧの、１５５０ｎｍ帯の４０波長（λ１〜λ４０）に対する透過スペクトルを示す。本カラーレスＡＷＧにより、各ポートには５チャネル周期の光波長が透過するため、４０の光波長は、各８波長、５グループの波長群に分波される。図３１は図３０のカラーレスＡＷＧにおける、各波長チャネルの挿入損失を示したものである。カラーレスＡＷＧは中央の出力ポートに比較し、端の出力ポートの挿入損失が１．５〜３ｄＢ大きくなる。本例の１×５カラーレスＡＷＧでは、中央と端ポートの損失差は１．８ｄＢである。
【０００５】
図３２は、１×５カラーレスＡＷＧを使用した、４方路入力４方路出力の固定型光波長群クロスコネクト装置の構成の一例を示す図である。ここで、３２０１〜３２０４は前段の１×５カラーレスＡＷＧ、３２０５は２０入力２０出力の光接続路、３２０６〜３２０９は後段の５×１カラーレスＡＷＧである。図３３は、図３２の光波長群クロスコネクト装置における、前段のカラーレスＡＷＧ３２０１〜３２０４、および後段のカラーレスＡＷＧ３２０６〜３２０９での各ポートの透過波長を示したものである。ここで各透過波長λ１〜λ４０は、図３０において説明した１５５０ｎｍ帯の４０波長と同一である。前段のカラーレスＡＷＧ３２０１〜３２０４と後段のカラーレスＡＷＧ３２０６〜３２０９は同一の透過波長設計であり、入出力ポートを反転させることで、前段のカラーレスＡＷＧ３２０１〜３２０４は分波回路、後段のカラーレスＡＷＧ３２０６〜３２０９は合波回路として使用している。本構成により、任意の方路から入力された光波長多重信号は、前段の１×５カラーレスＡＷＧ３２０１〜３２０４で５つの光波長群に分波され、光接続路３２０５において固定された方路に切替えられ、後段の５×１カラーレスＡＷＧ３２０６〜３２０９で再び光波長多重信号に合波され、各方路に出力される。
【０００６】
図３４は、１×５カラーレスＡＷＧを使用した、４方路入力４方路出力の可変型光波長群クロスコネクト装置の構成を示す図である。ここで、３４０１〜３４０４は前段の１×５カラーレスＡＷＧ、３４０５は２０入力２０出力（２０×２０）の光スイッチ、３４０６〜３４０９は後段の５×１カラーレスＡＷＧである。図３４の光波長群クロスコネクト装置における、前段のカラーレスＡＷＧ３４０１〜３４０４、および後段のカラーレスＡＷＧ３４０６〜３４０９での各ポートの透過波長は、図３３と同一である。また各透過波長λ１〜λ４０は、図３０において説明した１５５０ｎｍ帯の４０波長と同一である。前段のカラーレスＡＷＧ３４０１〜３４０４と後段のカラーレスＡＷＧ３４０６〜３４０９は同一の透過波長設計であり、入出力ポートを反転させることで、カラーレスＡＷＧ３４０１〜３４０４は分波回路、カラーレスＡＷＧ３４０６〜３４０９は合波回路として使用している。本構成により、任意の方路から入力された光波長多重信号は、前段の１×５カラーレスＡＷＧ３４０１〜３４０４で５つの光波長群に分波され、２０×２０マ光スイッチ３４０５において任意の方路に切替えられ、後段の５×１カラーレスＡＷＧ３４０６〜３４０９で再び光波長多重信号に合波され、各方路に出力される。
【０００７】
図３５は、１×５カラーレスＡＷＧを使用した、４方路入力４方路出力の可変型光波長群クロスコネクト装置の構成を示す図である。ここで、３５０１〜３５０４は前段の１×５カラーレスＡＷＧ、３５０５〜３５０９は４入力４出力（４×４）の光スイッチ、３５１０〜３５１３は後段の５×１カラーレスＡＷＧである。図１５の光波長群クロスコネクト装置における、前段のカラーレスＡＷＧ３５０１〜３５０４、および後段のカラーレスＡＷＧ３５１０〜３５１３での各ポートの透過波長は、図３３と同一である。また各透過波長λ１〜λ４０は、図３０において説明した１５５０ｎｍ帯の４０波長と同一である。前段のカラーレスＡＷＧ３５０１〜３５０４と後段のカラーレスＡＷＧ３５１０〜３５１３は同一の透過波長設計であり、入出力ポートを反転させることで、カラーレスＡＷＧ３５０１〜３５０４は分波回路、カラーレスＡＷＧ３５１０〜３５１３は合波回路として使用している。本構成により、任意の方路から入力された光波長多重信号は、前段の１×５カラーレスＡＷＧ３５０１〜３５０４で５つの光波長群に分波され、光波長群ごとに別の４×４光スイッチ３５０５〜３５０９において任意の方路に切替えられ、後段の５×１カラーレスＡＷＧ３５１０〜３５１３で再び光波長多重信号に合波され、各方路に出力される。
【０００８】
図３６は、１×８カラーレスＡＷＧを使用した、光波長群クロスコネクト装置（より詳しくは、ＲＯＡＤＭ装置のアド機能部）の構成を示す図である。ここで、３６０１は前段の１×８カラーレスＡＷＧ、３６０２〜３６０９は２入力１出力（２×１）の光スイッチ、３６１０は後段の８×１カラーレスＡＷＧ、３６１１は主方路入力、３６１２はアド方路入力、３６１３は主方路出力である。図３７は、図３６の光波長群クロスコネクト装置における、前段のカラーレスＡＷＧ３６０１、および後段のカラーレスＡＷＧ３６１０での各ポートの透過波長を示したものである。各カラーレスＡＷＧ３６０１、３６１０の波長チャネル間隔は０．８ｎｍ（１００ＧＨｚ）、自由スペクトル領域は８チャネルすなわち６．４ｎｍである。ここで各透過波長λ１〜λ４０は、図３０において説明した１５５０ｎｍ帯の４０波長と同一である。カラーレスＡＷＧ３６０１と３６１０は同一の透過波長設計であり、入出力ポートを反転させることで、カラーレスＡＷＧ３６０１は分波回路、カラーレスＡＷＧ３６１０は合波回路として使用している。本構成により、主方路から入力された光波長多重信号は、前段の１×８カラーレスＡＷＧ３６０１で８つの光波長群に分波され、光波長群ごとに別の２×１光スイッチ３６０２〜３６０９に入力する。またアド方路から入力された光波長群の信号は、それぞれ２×１光スイッチ３６０２〜３６０９に入力する。２×１光スイッチ３６０２〜３６０９において、主方路あるいはアド方路の入力が光波長群ごとに切替えられ、後段の８×１カラーレスＡＷＧ３６１０で再び光波長多重信号に合波され、主方路に出力される。
【０００９】
【非特許文献１】Ａ．Ｈｉｍｅｎｏ  ｅｔ  ａｌ．，“Ｓｉｌｉｃａ−Ｂａｓｅｄ  Ｐｌａｎａｒ  Ｌｉｇｈｔｗａｖｅ  Ｃｉｒｃｕｉｔｓ”  ＩＥＥＥ  ＪＯＵＲＮＡＬ  ＯＦ  ＳＥＬＥＣＴＥＤ  ＴＯＰＩＣＳ  ＩＮ  ＱＵＡＮＴＵＭ  ＥＬＥＣＴＲＯＮＩＣＳ，１９９８，Ｖｏｌ．４，ｐｐ．９１３−９２４
【非特許文献２】郷  隆司、金子  明正、「平面光波回路（ＰＬＣ）技術を用いたＲＯＡＤＭスイッチ」、電子情報通信学会総合大会、２００７年３月、ＢＣＳ−１−２
【発明の開示】
【発明が解決しようとする課題】
【００１０】
上記のように、カラーレスＡＷＧと光スイッチを組合せた光波長群クロスコネクト装置は、光波長群ごとの方路切り替え装置として機能する。しかしながら、従来の光波長群クロスコネクト装置は、カラーレスＡＷＧにおける損失のポート依存性のために、波長チャネル間の損失が非常に不均一であるという課題があった。図３８は、図３２の光波長群クロスコネクト装置における、カラーレスＡＷＧ、および装置全体の挿入損失の波長チャネル依存性を示したものである。装置全体の損失の波長チャネル依存性は３．６ｄＢであり、最悪チャネルの損失は７．６ｄＢである。図３９は、図３４の光波長群クロスコネクト装置における、カラーレスＡＷＧ、光スイッチ、および装置全体の挿入損失の波長チャネル依存性を示したものである。装置全体の損失の波長チャネル依存性は３．６ｄＢであり、最悪チャネルの損失は１０．６ｄＢである。図４０は、図３５の光波長群クロスコネクト装置における、カラーレスＡＷＧ、光スイッチ、および装置全体の挿入損失の波長チャネル依存性を示したものである。装置全体の損失の波長チャネル依存性は３．６ｄＢであり、最悪チャネルの損失は９．１ｄＢである。図４１は、図３６の光波長群クロスコネクト装置における、カラーレスＡＷＧ、光スイッチ、および主方路における装置全体の挿入損失の波長チャネル依存性を示したものである。装置全体の損失の波長チャネル依存性は４．２ｄＢであり、最悪チャネルの損失は９．８ｄＢである。
【００１１】
このような損失の大きな波長チャネル依存性は、本装置を用いた伝送システムの設計に制約を与える。特に光信号が多数の光波長群クロスコネクト装置を通過するようなシステム構成においては、各光波長信号の強度を均一化するための減衰調整が必要である上、損失レベルを最悪チャネルに揃えるため、実質的に装置の損失が大きくなり、伝送距離などの面で不利となるという課題があった。
【００１２】
本発明は、このような課題に鑑みてなされたものであり、その目的は、損失の波長チャネル依存性が小さく、かつ最悪チャネルの損失が小さい、カラーレスＡＷＧを用いた光波長群クロスコネクト装置を提供することにある。
【課題を解決するための手段】
【００１３】
このような目的を達成するために、請求項１に記載の発明は、光波長群クロスコネクト装置であって、前段にＭ（Ｍは１以上の整数）個の１入力Ｋ（Ｋは２以上の整数）出力の第１のアレイ導波路格子、後段にＮ（Ｎは２以上の整数）個のＫ入力１出力の第２のアレイ導波路格子と、前記第１のアレイ導波路格子の出力ポートと前記第２のアレイ導波路格子の入力ポートとを接続する光接続路から構成され、前記第１および第２のアレイ導波路格子は、自由スペクトル領域が波長チャネル間隔のＫ倍であり、かつ、各ポートに一定のチャネル数間隔の光波長が分波されるカラーレス型アレイ導波路格子であって、前記第１のアレイ導波路格子と前記第２のアレイ導波路格子とは、前記第１のアレイ導波路格子における中央出力ポートの透過波長と前記第２のアレイ導波路格子においける中央入力ポートの透過波長がｎＫ＋Ｌチャネル（ｎは０以上の整数、ＬはＫ／２に最も近い整数）ずれるように接続されたことを特徴とする。
【００１４】
請求項２に記載の発明は、請求項１記載の光波長群クロスコネクト装置において、前記光接続路が、Ｍ×Ｋ入力Ｎ×Ｋ出力の光スイッチであることを特徴とする。
【００１５】
請求項３に記載の発明は、請求項１記載の光波長群クロスコネクト装置において、前記光接続路が、Ｋ個のＭ入力Ｎ出力光スイッチから構成されていることを特徴とする。
【００１６】
請求項４に記載の発明は、請求項１から請求項３までに記載の光波長群クロスコネクト装置において、前記第１のアレイ導波路格子と前記第２のアレイ導波路格子の数が等しく、Ｍ＝Ｎであることを特徴とする。
【００１７】
請求項５に記載の発明は、請求項１から請求項３までに記載の光波長群クロスコネクト装置において、前記第１のアレイ導波路格子が１個であって、Ｍ＝１であることを特徴とする。
【００１８】
請求項６に記載の発明は、光波長群クロスコネクト装置であって、前段に１個の１入力Ｋ（Ｋは２以上の整数）出力の第１のアレイ導波路格子、後段に１個のＫ入力１出力の第２のアレイ導波路格子と、前記第１のアレイ導波路格子の出力およびアド方路と前記第２のアレイ導波路格子の入力とを接続するＫ個の２入力１出力光スイッチから構成され、前記第１および第２のアレイ導波路格子は、自由スペクトル領域が波長チャネル間隔のＫ倍であり、かつ、各ポートに一定のチャネル数間隔の光波長が分波されるカラーレス型アレイ導波路格子であって、前記第１のアレイ導波路格子と前記第２のアレイ導波路格子とは、前記第１のアレイ導波路格子における中央出力ポートの透過波長と、前記第２のアレイ導波路格子における中央入力ポートの透過波長が、ｎＫ＋Ｌチャネル（ｎは０以上の整数、ＬはＫ／２に最も近い整数）ずれるように接続されたことを特徴とする。
【００２１】
本発明の光波長群クロスコネクト装置における、後段のカラーレスＡＷＧは、前段のカラーレスＡＷＧとは中央ポートの透過波長を１チャネル以上ずらしたものを使用する。カラーレスＡＷＧの周回的な特性から、中央ポートの透過波長を任意のチャネル数ずらしたとしても、全ての光波長群は、必ず何れかのポートに分波される。よってこの場合でも、前段のカラーレスＡＷＧの出力と後段のカラーレスＡＷＧの入力を、通過する光波長群に対応して光接続路によって接続することにより、従来の光波長群クロスコネクト装置と全く同一の機能が実現できる。しかも、ある波長群が前段のカラーレスＡＷＧで分波される出力ポート番号と、後段のカラーレスＡＷＧで合波される入力ポート番号が異なるため、装置全体では損失のポート依存性が平均化される。したがって、損失の波長チャネル依存性に優れ、かつ最悪チャネルの損失が小さい光波長群クロスコネクト装置が実現可能である。
【００２２】
尚、後段のカラーレスＡＷＧの透過波長をずらすチャネル数は、前後段のカラーレスＡＷＧのポート数と同一では無いことが必要である。このずらすチャネル数がカラーレスＡＷＧのポート数と同一の場合、カラーレスＡＷＧの周回的な特性上、任意の光波長群はずらす前と同一のポートに分波されることとなるからである。
【００２３】
また好ましくは、後段のカラーレスＡＷＧの透過波長をずらすチャネル数は、前後段のカラーレスＡＷＧのポート数の半分に最も近い整数とすることが望ましい。この場合、前段のカラーレスＡＷＧで損失最大（最小）ポートを透過した光波長群は、後段のカラーレスＡＷＧでは損失最小（最大）ポートを透過することになるため、装置全体での損失のポート依存性が最も平均化されるためである。
【発明の効果】
【００２４】
本発明によれば、損失の波長チャネル依存性が小さく、かつ最悪チャネルの損失が小さい、カラーレスＡＷＧを用いた光波長群クロスコネクト装置を実現することができる。
【発明を実施するための最良の形態】
【００２５】
以下、図面を参照しながら本発明の実施形態について詳細に説明する。
［第１の実施形態］
本発明の第１の実施形態として、固定型の光波長群クロスコネクト装置について、以下、図面を参照しながら説明する。本実施形態における固定型光波長群クロスコネクト装置は、前段および後段のカラーレスＡＷＧと、それらを接続する固定された光接続路から構成され、ある方路から入力する光波長多重信号を、光波長群ごとに、設定された出力方路のいずれかへ出力する機能を有する。
【００２６】
すなわち、前段にＭ（Ｍは１以上の整数）個の１入力Ｋ（Ｋは２以上の整数）出力のカラーレスＡＷＧと、後段にＮ（Ｎは２以上の整数）個のＫ入力１出力のカラーレスＡＷＧとを備え、前段のカラーレスＡＷＧの出力ポートと後段のカラーレスＡＷＧの入力ポートとを接続する光接続路から構成されている。そして、前段のカラーレスＡＷＧと後段のカラーレスＡＷＧとは、前段のカラーレスＡＷＧにおける中央出力ポートの透過波長と、後段のカラーレスＡＷＧにおける中央入力ポートの透過波長が、ｎＫ＋Ｌチャネル（ｎは０以上の整数、Ｌは１以上かつＫより小さい整数）ずれるように接続されている。ここで、前段および後段のカラーレスＡＷＧは石英系ＰＬＣにより、光接続路は複数の光ファイバにより実現されている。
【００２７】
尚、以下の例においては、特定の接続設定を有する光接続路について説明するが、これらの接続設定に本発明の技術的範囲を限定する意図はない。
【００２８】
実施例１−１
図１は、実施例１−１に係る光波長群クロスコネクト装置の構成を示す平面図である。本例の光波長群クロスコネクト装置は、第１の実施形態において、Ｍ＝２、Ｎ＝４、Ｋ＝５、Ｌ＝１の場合に相当する。ここで、１０１〜１０２は前段の１×５カラーレスＡＷＧ、１０３は光接続路、１０４〜１０７は後段の５×１カラーレスＡＷＧである。図２は、図１の光波長群クロスコネクト装置における、前段のカラーレスＡＷＧ１０１〜１０２、および後段のカラーレスＡＷＧ１０４〜１０７の各ポートの透過波長を示したものである。各カラーレスＡＷＧ１０１〜１０２、１０４〜１０７の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００２９】
図３は、図１の光波長群クロスコネクト装置における、カラーレスＡＷＧおよび装置全体の損失の波長チャネル依存性を示したグラフである。後段のカラーレスＡＷＧ１０４〜１０７の透過波長は前段のカラーレスＡＷＧ１０１〜１０２に対し１チャネルずらしてあるため、それぞれの損失の波長チャネル依存性も１チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は３．２ｄＢ、最悪チャネルの損失は７．６ｄＢとなり、損失の波長チャネル依存性が従来よりも改善されている。
【００３０】
実施例１−２
図４は、実施例１−２に係る光波長群クロスコネクト装置の構成を示す平面図である。本例の光波長群クロスコネクト装置は、第１の実施形態において、Ｍ＝２、Ｎ＝４、Ｋ＝５、Ｌ＝２の場合に相当し、ＬがＫ／２に最も近い整数である。ここで、４０１〜４０２は前段の１×５カラーレスＡＷＧ、４０３は光接続路、４０４〜４０７は後段の５×１カラーレスＡＷＧである。図５は、図４の光波長群クロスコネクト装置における、前段のカラーレスＡＷＧ４０１〜４０２、および後段のカラーレスＡＷＧ４０４〜４０７の各ポートの透過波長を示したものである。各カラーレスＡＷＧ４０１〜４０２、４０４〜４０７の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００３１】
図６は、図４の光波長群クロスコネクト装置における、カラーレスＡＷＧおよび装置全体の損失の波長チャネル依存性を示したグラフである。後段のカラーレスＡＷＧ４０４〜４０７の透過波長は前段のカラーレスＡＷＧ４０１〜４０２に対し２チャネルずらしてあるため、それぞれの損失の波長チャネル依存性も２チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は１．３ｄＢ、最悪チャネルの損失は６．２ｄＢとなり、ともに従来の特性よりも改善されている。
【００３２】
実施例１−３
図７は、実施例１−３に係る光波長群クロスコネクト装置の構成を示す平面図である。本例の光波長群クロスコネクト装置は、第１の実施形態において、Ｍ＝Ｎ＝４、Ｋ＝５、Ｌ＝１の場合に相当し、前段のカラーレスＡＷＧと後段のカラーレスＡＷＧの数が等しい。ここで、７０１〜７０４は前段の１×５カラーレスＡＷＧ、７０５は光接続路、７０６〜７０９は後段の５×１カラーレスＡＷＧである。図７の光波長群クロスコネクト装置における、前段のカラーレスＡＷＧ７０１〜７０４、および後段のカラーレスＡＷＧ７０６〜７０９の各ポートの透過波長は、図２と同様である。各カラーレスＡＷＧ７０１〜７０４、７０６〜７０９の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００３３】
図７の光波長群クロスコネクト装置における、カラーレスＡＷＧおよび装置全体の損失の波長チャネル依存性を示したグラフは図３と同様となる。後段のカラーレスＡＷＧ７０６〜７０９の透過波長は前段のカラーレスＡＷＧ７０１〜７０４に対し１チャネルずらしてあるため、それぞれの損失の波長チャネル依存性も１チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は３．２ｄＢ、最悪チャネルの損失は７．６ｄＢとなり、損失の波長チャネル依存性が従来よりも改善されている。
【００３４】
実施例１−４
図８は、実施例１−４に係る光波長群クロスコネクト装置の構成を示す平面図である。本例の光波長群クロスコネクト装置は、第１の実施形態において、Ｍ＝Ｎ＝４、Ｋ＝５、Ｌ＝２の場合に相当し、前段のカラーレスＡＷＧと後段のカラーレスＡＷＧの数が等しく、ＬがＫ／２に最も近い整数である。ここで、８０１〜８０４は前段の１×５カラーレスＡＷＧ、８０５は光接続路、８０６〜８０９は後段の５×１カラーレスＡＷＧである。図８の光波長群クロスコネクト装置における、前段のカラーレスＡＷＧ８０１〜８０４、および後段のカラーレスＡＷＧ８０６〜８０９の各ポートの透過波長は、図５と同様である。各カラーレスＡＷＧ８０１〜８０４、８０６〜８０９の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００３５】
図８の光波長群クロスコネクト装置における、カラーレスＡＷＧおよび装置全体の損失の波長チャネル依存性を示したグラフは図６と同様となる。後段のカラーレスＡＷＧ８０６〜８０９の透過波長は前段のカラーレスＡＷＧ８０１〜８０４に対し２チャネルずらしてあるため、それぞれの損失の波長チャネル依存性も２チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は１．３ｄＢ、最悪チャネルの損失は６．２ｄＢとなり、ともに従来の特性よりも改善されている。
【００３６】
実施例１−５
図９は、実施例１−５に係る光波長群クロスコネクト装置の構成を示す平面図である。本例の光波長群クロスコネクト装置は、第１の実施形態において、Ｍ＝１、Ｎ＝４、Ｋ＝５、Ｌ＝１の場合に相当し、前段のカラーレスＡＷＧが１個である。ここで、９０１は前段の１×５カラーレスＡＷＧ、９０２は光接続路、９０３〜９０６は後段の５×１カラーレスＡＷＧである。図９の光波長群クロスコネクト装置における、前段のカラーレスＡＷＧ９０１、および後段のカラーレスＡＷＧ９０３〜９０６の各ポートの透過波長は、図２と同様である。各カラーレスＡＷＧ９０１、９０３〜９０６の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００３７】
図９の光波長群クロスコネクト装置における、カラーレスＡＷＧおよび装置全体の損失の波長チャネル依存性を示したグラフは図３と同様となる。後段のカラーレスＡＷＧ９０３〜９０６の透過波長は前段のカラーレスＡＷＧ９０１に対し１チャネルずらしてあるため、それぞれの損失の波長チャネル依存性も１チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は３．２ｄＢ、最悪チャネルの損失は７．６ｄＢとなり、損失の波長チャネル依存性が従来よりも改善されている。
【００３８】
実施例１−６
図１０は、実施例１−６に係る光波長群クロスコネクト装置の構成を示す平面図である。本例の光波長群クロスコネクト装置は、第１の実施形態において、Ｍ＝１、Ｎ＝４、Ｋ＝５、Ｌ＝２の場合に相当し、前段のカラーレスＡＷＧが１個であり、ＬがＫ／２に最も近い整数である。ここで、１００１は前段の１×５カラーレスＡＷＧ、１００２は光接続路、１００３〜１００６は後段の５×１カラーレスＡＷＧである。図１０の光波長群クロスコネクト装置における、前段のカラーレスＡＷＧ１００１、および後段のカラーレスＡＷＧ１００３〜１００６の各ポートの透過波長は、図５と同様である。各カラーレスＡＷＧ１００１、１００３〜１００６の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００３９】
図１０の光波長群クロスコネクト装置における、カラーレスＡＷＧおよび装置全体の損失の波長チャネル依存性を示したグラフは図６と同様となる。後段のカラーレスＡＷＧ１００３〜１００６の透過波長は前段のカラーレスＡＷＧ１００１に対し２チャネルずらしてあるため、それぞれの損失の波長チャネル依存性も２チャネルずれた分布となっている。装置全体の損失は、前段、後段のカラーレスＡＷＧの損失の和であるので、カラーレスＡＷＧの損失ポート依存性が平均化される。その結果、本例における装置全体の損失の波長チャネル依存性は１．３ｄＢ、最悪チャネルの損失は６．２ｄＢとなり、ともに従来の特性よりも改善されている。
【００４０】
［第２の実施形態］
本発明の第２の実施形態として、可変型の光波長群クロスコネクト装置について、以下、図面を参照しながら説明する。本実施形態における可変型光波長群クロスコネクト装置は、前段および後段のカラーレスＡＷＧと、それらを接続する光スイッチから構成され、ある方路から入力する光波長多重信号を、光波長群ごとに、任意の出力方路のいずれかへ切替えて出力する機能を有する。
【００４１】
すなわち、前段にＭ（Ｍは１以上の整数）個の１入力Ｋ（Ｋは２以上の整数）出力のカラーレスＡＷＧと、後段にＮ（Ｎは２以上の整数）個のＫ入力１出力のカラーレスＡＷＧとを備え、前段のカラーレスＡＷＧの出力ポートと後段のカラーレスＡＷＧの入力ポートとを接続するＭ×Ｋ入力Ｎ×Ｋ出力の光スイッチから構成されている。そして、前段のカラーレスＡＷＧと後段のカラーレスＡＷＧとは、前段のカラーレスＡＷＧにおける中央出力ポートの透過波長と、後段のカラーレスＡＷＧにおける中央入力ポートの透過波長が、ｎＫ＋Ｌチャネル（ｎは０以上の整数、Ｌは１以上かつＫより小さい整数）ずれるように接続されている。ここで、前段および後段のカラーレスＡＷＧは石英系ＰＬＣにより実現されており、光スイッチは石英系ＰＬＣによるＴＯＳＷを集積して実現されている。
【００４２】
実施例２−１
図１１は、実施例２−１に係る光波長群クロスコネクト装置の構成を示す平面図である。本例の光波長群クロスコネクト装置は、第２の実施形態において、Ｍ＝２、Ｎ＝４、Ｋ＝５、Ｌ＝１の場合に相当する。ここで、１１０１〜１１０２は前段の１×５カラーレスＡＷＧ、１１０３は１０入力２０出力（１０×２０）光スイッチ、１１０４〜１１０７は後段の５×１カラーレスＡＷＧである。図１１の光波長群クロスコネクト装置における、前段のカラーレスＡＷＧ１１０１〜１１０２、および後段のカラーレスＡＷＧ１１０４〜１１０７の各ポートの透過波長は、図２と同様である。各カラーレスＡＷＧ１１０１〜１１０２、１１０４〜１１０７の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００４３】
図１２は、図１１の光波長群クロスコネクト装置における、カラーレスＡＷＧ、光スイッチ、および装置全体の損失の波長チャネル依存性を示したグラフである。後段のカラーレスＡＷＧ１１０４〜１１０７の透過波長は前段のカラーレスＡＷＧ１１０１〜１１０２に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は１０．６ｄＢとなり、損失の波長チャネル依存性が従来よりも改善されている。
【００４４】
実施例２−２
実施例２−２に係る光波長群クロスコネクト装置の構成は、図１１と同様である。本例の光波長群クロスコネクト装置は、第２の実施形態において、Ｍ＝２、Ｎ＝４、Ｋ＝５、Ｌ＝２の場合に相当し、ＬがＫ／２に最も近い整数である。本例の光波長群クロスコネクト装置における、前段のカラーレスＡＷＧ１１０１〜１１０２、および後段のカラーレスＡＷＧ１１０４〜１１０７の各ポートの透過波長は、図５と同様である。各カラーレスＡＷＧ１１０１〜１１０２、１１０４〜１１０７の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００４５】
図１３は、本例の光波長群クロスコネクト装置における、カラーレスＡＷＧ、光スイッチ、および装置全体の損失の波長チャネル依存性を示したグラフである。後段のカラーレスＡＷＧ１１０４〜１１０７の透過波長は前段のカラーレスＡＷＧ１１０１〜１１０２に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は９．２ｄＢとなり、ともに従来の特性よりも改善されている。
【００４６】
実施例２−３
図１４は、実施例２−３に係る光波長群クロスコネクト装置の構成を示す平面図である。本例の光波長群クロスコネクト装置は、第２の実施形態においてＭ＝Ｎ＝４、Ｋ＝５、Ｌ＝１の場合に相当し、前段のカラーレスＡＷＧと後段のカラーレスＡＷＧの数が等しい。ここで、１４０１〜１４０４は前段の１×５カラーレスＡＷＧ、１４０５は２０×２０光スイッチ、１４０６〜１４０９は後段の５×１カラーレスＡＷＧである。図１４の光波長群クロスコネクト装置における、前段のカラーレスＡＷＧ１４０１〜１４０４、および後段のカラーレスＡＷＧ１４０６〜１４０９の各ポートの透過波長は、図２と同様である。各カラーレスＡＷＧ１４０１〜１４０４、１４０６〜１４０９の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００４７】
図１４の光波長群クロスコネクト装置における、カラーレスＡＷＧ、光スイッチ、および装置全体の損失の波長チャネル依存性を示したグラフは、図１２と同様である。後段のカラーレスＡＷＧ１４０６〜１４０９の透過波長は前段のカラーレスＡＷＧ１４０１〜１４０４に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は１０．６ｄＢとなり、損失の波長チャネル依存性が従来よりも改善されている。
【００４８】
実施例２−４
実施例２−４に係る光波長群クロスコネクト装置の構成は、図１４と同様である。本例の光波長群クロスコネクト装置は、第２の実施形態において、Ｍ＝２、Ｎ＝４、Ｋ＝５、Ｌ＝２の場合に相当し、前段のカラーレスＡＷＧと後段のカラーレスＡＷＧの数が等しく、ＬがＫ／２に最も近い整数である。本例の光波長群クロスコネクト装置における、前段のカラーレスＡＷＧ１４０１〜１４０４、および後段のカラーレスＡＷＧ１４０６〜１４０９の各ポートの透過波長は、図５と同様である。各カラーレスＡＷＧ１４０１〜１４０４、１４０６〜１４０９の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００４９】
本例の光波長群クロスコネクト装置における、カラーレスＡＷＧ、光スイッチ、および装置全体の損失の波長チャネル依存性を示したグラフは、図１３と同様である。後段のカラーレスＡＷＧ１４０６〜１４０９の透過波長は前段のカラーレスＡＷＧ１４０１〜１４０４に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は９．２ｄＢとなり、ともに従来の特性よりも改善されている。
【００５０】
実施例２−５
図１５は、実施例２−５に係る光波長群クロスコネクト装置の構成を示す平面図である。本例の光波長群クロスコネクト装置は、第２の実施形態において、Ｍ＝１、Ｎ＝４、Ｋ＝５、Ｌ＝１の場合に相当し、前段のカラーレスＡＷＧが１個である。ここで、１５０１は前段の１×５カラーレスＡＷＧ、１５０２は５×２０光スイッチ、１５０３〜１５０６は後段の５×１カラーレスＡＷＧである。図１５の光波長群クロスコネクト装置における、前段のカラーレスＡＷＧ１５０１、および後段のカラーレスＡＷＧ１５０３〜１５０６の各ポートの透過波長は、図２と同様である。各カラーレスＡＷＧ１５０１、１５０３〜１５０６の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００５１】
図１５の光波長群クロスコネクト装置における、カラーレスＡＷＧ、光スイッチ、および装置全体の損失の波長チャネル依存性を示したグラフは、図１２と同様である。後段のカラーレスＡＷＧ１５０３〜１５０６の透過波長は前段のカラーレスＡＷＧ１５０１に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は１０．６ｄＢとなり、損失の波長チャネル依存性が従来よりも改善されている。
【００５２】
実施例２−６
実施例２−６に係る光波長群クロスコネクト装置の構成は、図１５と同様である。本例の光波長群クロスコネクト装置は、第２の実施形態において、Ｎ＝４、Ｋ＝５、Ｌ＝２の場合に相当し、前段のカラーレスＡＷＧが１個で、ＬがＫ／２に最も近い整数である。本例の光波長群クロスコネクト装置における、前段のカラーレスＡＷＧ１５０１、および後段のカラーレスＡＷＧ１５０３〜１５０６の各ポートの透過波長は、図５と同様である。各カラーレスＡＷＧ１５０１、１５０３〜１５０６の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００５３】
本例の光波長群クロスコネクト装置における、カラーレスＡＷＧ、光スイッチ、および装置全体の損失の波長チャネル依存性を示したグラフは、図１３と同様である。後段のカラーレスＡＷＧ１５０３〜１５０６の透過波長は前段のカラーレスＡＷＧ１５０１に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は９．２ｄＢとなり、ともに従来の特性よりも改善されている。
【００５４】
［第３の実施形態］
本発明の第３の実施形態として、可変型の光波長群クロスコネクト装置の他例について、以下、図面を参照しながら説明する。本実施形態における可変型光波長群クロスコネクト装置は、前段および後段のカラーレスＡＷＧと、それらを接続する複数の光スイッチから構成され、ある方路から入力する光波長多重信号を、光波長群ごとに、任意の出力方路のいずれかへ切替えて出力する機能を有する。
【００５５】
すなわち、前段にＭ（Ｍは１以上の整数）個の１入力Ｋ（Ｋは２以上の整数）出力のカラーレスＡＷＧと、後段にＮ（Ｎは２以上の整数）個のＫ入力１出力のカラーレスＡＷＧとを備え、前段のカラーレスＡＷＧの出力ポートと後段のカラーレスＡＷＧの入力ポートとを接続するＭ個のＫ入力Ｎ×Ｋ出力の光スイッチから構成されている。そして、前段のカラーレスＡＷＧと後段のカラーレスＡＷＧとは、前段のカラーレスＡＷＧにおける中央出力ポートの透過波長と、後段のカラーレスＡＷＧにおける中央入力ポートの透過波長が、ｎＫ＋Ｌチャネル（ｎは０以上の整数、Ｌは１以上かつＫより小さい整数）ずれるように接続されている。ここで、前段および後段のカラーレスＡＷＧは石英系ＰＬＣにより実現されており、光スイッチは石英系ＰＬＣによるＴＯＳＷを集積して実現されている。
【００５６】
実施例３−１
図１６は、実施例３−１に係る光波長群クロスコネクト装置の構成を示す平面図である。本例の光波長群クロスコネクト装置は、第３の実施形態において、Ｍ＝２、Ｎ＝４、Ｋ＝５、Ｌ＝１の場合に相当する。ここで、１６０１〜１６０２は前段の１×５カラーレスＡＷＧ、１６０３〜１６０７は２×４光スイッチ、１６０８〜１６１１は後段の５×１カラーレスＡＷＧである。図１６の光波長群クロスコネクト装置における、前段のカラーレスＡＷＧ１６０１〜１６０２、および後段のカラーレスＡＷＧ１６０８〜１６１１の各ポートの透過波長は、図２と同様である。各カラーレスＡＷＧ１６０１〜１６０２、１６０８〜１６１１の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００５７】
図１７は、図１６の光波長群クロスコネクト装置における、カラーレスＡＷＧ、光スイッチ、および装置全体の損失の波長チャネル依存性を示したグラフである。後段のカラーレスＡＷＧ１６０８〜１６１１の透過波長は前段のカラーレスＡＷＧ１６０１〜１６０２に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は９．１ｄＢとなり、損失の波長チャネル依存性が従来よりも改善されている。
【００５８】
実施例３−２
図１８は、実施例３−２に係る光波長群クロスコネクト装置の構成を示す平面図である。本例の光波長群クロスコネクト装置は、第３の実施形態において、Ｍ＝２、Ｎ＝４、Ｋ＝５、Ｌ＝１の場合に相当し、ＬがＫ／２に最も近い整数である。ここで、１８０１〜１８０２は前段の１×５カラーレスＡＷＧ、１８０３〜１８０７は２×４光スイッチ、１８０８〜１８１１は後段の５×１カラーレスＡＷＧである。図１８の光波長群クロスコネクト装置における、前段のカラーレスＡＷＧ１８０１〜１８０２、および後段のカラーレスＡＷＧ１８０８〜１８１１の各ポートの透過波長は、図５と同様である。各カラーレスＡＷＧ１８０１〜１８０２、１８０８〜１８１１の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００５９】
図１９は、図１８の光波長群クロスコネクト装置における、カラーレスＡＷＧ、光スイッチ、および装置全体の損失の波長チャネル依存性を示したグラフである。後段のカラーレスＡＷＧ１８０８〜１８１１の透過波長は前段のカラーレスＡＷＧ１８０１〜１８０２に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は７．７ｄＢとなり、ともに従来の特性よりも改善されている。
【００６０】
実施例３−３
図２０は、実施例３−３に係る光波長群クロスコネクト装置の構成を示す平面図である。本例の光波長群クロスコネクト装置は、第３の実施形態においてＭ＝Ｎ＝４、Ｋ＝５、Ｌ＝１の場合に相当し、前段のカラーレスＡＷＧと後段のカラーレスＡＷＧの数が等しい。ここで、２００１〜２００４は前段の１×５カラーレスＡＷＧ、２００５〜２００９は２×４光スイッチ、２０１０〜２０１３は後段の５×１カラーレスＡＷＧである。図２０の光波長群クロスコネクト装置における、前段のカラーレスＡＷＧ２００１〜２００４、および後段のカラーレスＡＷＧ２０１０〜２０１３の各ポートの透過波長は、図２と同様である。各カラーレスＡＷＧ２００１〜２００４、２０１０〜２０１３の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００６１】
図２０の光波長群クロスコネクト装置における、カラーレスＡＷＧ、光スイッチ、および装置全体の損失の波長チャネル依存性を示したグラフは、図１７と同様である。後段のカラーレスＡＷＧ２０１０〜２０１３の透過波長は前段のカラーレスＡＷＧ２００１〜２００４に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は９．１ｄＢとなり、損失の波長チャネル依存性が従来よりも改善されている。
【００６２】
実施例３−４
図２１は、実施例３−４に係る光波長群クロスコネクト装置の構成を示す平面図である。本例の光波長群クロスコネクト装置は、第３の実施形態において、Ｍ＝Ｎ＝４、Ｋ＝５、Ｌ＝１の場合に相当し、前段のカラーレスＡＷＧと後段のカラーレＡＷＧの数が等しく、ＬがＫ／２に最も近い整数である。ここで、２１０１〜２１０４は前段の１×５カラーレスＡＷＧ、２１０５〜２１０９は２×４光スイッチ、２１１０〜２１１３は後段の５×１カラーレスＡＷＧである。図２１の光波長群クロスコネクト装置における、前段のカラーレスＡＷＧ２１０１〜２１０４、および後段のカラーレスＡＷＧ２１１０〜２１１３の各ポートの透過波長は、図５と同様である。各カラーレスＡＷＧ２１０１〜２１０４、２１１０〜２１１３の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００６３】
図２１の光波長群クロスコネクト装置における、カラーレスＡＷＧ、光スイッチ、および装置全体の損失の波長チャネル依存性を示したグラフは、図１９と同様である。後段のカラーレスＡＷＧ２１１０〜２１１３の透過波長は前段のカラーレスＡＷＧ２１０１〜２１０４に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は７．７ｄＢとなり、ともに従来の特性よりも改善されている。
【００６４】
実施例３−５
図２２は、実施例３−５に係る光波長群クロスコネクト装置の構成を示す平面図である。本例の光波長群クロスコネクト装置は、第３の実施形態において、Ｎ＝４、Ｋ＝５、Ｌ＝１の場合に相当し、前段のカラーレスＡＷＧが１個である。ここで、２２０１は前段の１×５カラーレスＡＷＧ、２２０２〜２２０６は２×４光スイッチ、２２０７〜２２１０は後段の５×１カラーレスＡＷＧである。図２０の光波長群クロスコネクト装置における、前段のカラーレスＡＷＧ２２０１、および後段のカラーレスＡＷＧ２２０７〜２２１０の各ポートの透過波長は、図２と同様である。各カラーレスＡＷＧ２２０１、２２０７〜２２１０の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して１チャネルずらしている（Ｌ＝１）。
【００６５】
図２２の光波長群クロスコネクト装置における、カラーレスＡＷＧ、光スイッチ、および装置全体の損失の波長チャネル依存性を示したグラフは、図１７と同様である。後段のカラーレスＡＷＧ２２０７〜２２１０の透過波長は前段のカラーレスＡＷＧ２２０１に対し１チャネルずらしてあるため、それぞれの損失の波長チャネル依存性も１チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は３．２ｄＢ、最悪チャネルの損失は９．１ｄＢとなり、損失の波長チャネル依存性が従来よりも改善されている。
【００６６】
実施例３−６
図２３は、実施例３−６に係る光波長群クロスコネクト装置の構成を示す平面図である。本例の光波長群クロスコネクト装置は、第３の実施形態において、Ｍ＝１、Ｎ＝４、Ｋ＝５、Ｌ＝１の場合に相当し、前段のカラーレスＡＷＧが１個であり、ＬがＫ／２に最も近い整数である。ここで、２３０１は前段の１×５カラーレスＡＷＧ、２３０２〜２３０６は２×４光スイッチ、２３０７〜２３１０は後段の５×１カラーレスＡＷＧである。図２３光波長群クロスコネクト装置における、前段のカラーレスＡＷＧ２３０１、および後段のカラーレスＡＷＧ２３０７〜２３１０の各ポートの透過波長は、図５と同様である。各カラーレスＡＷＧ２３０１、２３０７〜２３１０の波長チャネル間隔は０．８ｎｍ（１００ＧＨｚ）、自由スペクトル領域は５チャネルすなわち４．０ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート３）の透過波長は、前段のカラーレスＡＷＧの中央ポート（出力ポート３）の透過波長に対して２チャネルずらしている（Ｌ＝２）。
【００６７】
図２３の光波長群クロスコネクト装置における、カラーレスＡＷＧ、光スイッチ、および装置全体の損失の波長チャネル依存性を示したグラフは、図１９と同様である。後段のカラーレスＡＷＧ２３０７〜２３１０の透過波長は前段のカラーレスＡＷＧ２３０１に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例における装置全体の損失の波長チャネル依存性は１．３ｄＢ、最悪チャネルの損失は７．７ｄＢとなり、ともに従来の特性よりも改善されている。
【００６８】
［第４の実施形態］
本発明の第４の実施形態として、可変型の光波長群クロスコネクト装置（詳しくは光波長群ＲＯＡＤＭ装置のアド機能部）について、以下、図面を参照しながら説明する。本実施形態における光波長群クロスコネクト装置は、前段および後段のカラーレスＡＷＧと、それらを接続する複数の光スイッチから構成され、光波長群ごとに、前段のカラーレスＡＷＧに接続された主方路から入力する光波長多重信号、または複数の光スイッチに直接接続されたアド方路から入力する光波長群の信号のいずれかを、後段のカラーレスＡＷＧの出力ポートである主方路へ出力する機能を有する。
【００６９】
すなわち、前段に１個の１入力Ｋ（Ｋは２以上の整数）出力のカラーレスＡＷＧと、後段に１個のＫ入力１出力のカラーレスＡＷＧとを備え、前段のカラーレスＡＷＧの出力ポートおよびアド方路と後段のカラーレスＡＷＧの入力ポートとを接続するＫ個の２入力１出力の光スイッチから構成されている。そして、前段のカラーレスＡＷＧと後段のカラーレスＡＷＧとは、前段のカラーレスＡＷＧにおける中央出力ポートの透過波長と、後段のカラーレスＡＷＧにおける中央入力ポートの透過波長が、ｎＫ＋Ｌチャネル（ｎは０以上の整数、Ｌは１以上かつＫより小さい整数）ずれるように接続されている。ここで、前段および後段のカラーレスＡＷＧは石英系ＰＬＣにより実現されており、光スイッチは石英系ＰＬＣによるＴＯＳＷを集積して実現されている。
【００７０】
実施例４−１
図２４は、実施例４−１に係る光波長群クロスコネクト装置の構成を示す平面図である。本例の光波長群クロスコネクト装置は、第４の実施形態においてＫ＝８、Ｌ＝２の場合に相当する。ここで、２４０１は前段の１×８カラーレスＡＷＧ、２４０２〜２４０９は２×１光スイッチ、２４１０は後段の８×１カラーレスＡＷＧ、２４１１は主方路入力、２４１２はアド方路入力、２４１３は主方路出力である。図２５は、図２４の光波長群クロスコネクト装置における、前段のカラーレスＡＷＧ２４０１、および後段のカラーレスＡＷＧ２４１０の各ポートの透過波長を示した図である。各カラーレスＡＷＧ２４０１、２４１０の波長チャネル間隔は０．８ｎｍ（１００ＧＨｚ）、自由スペクトル領域は８チャネルすなわち６．４ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート５）の透過波長は、前段のカラーレスＡＷＧの中央ポート（出力ポート５）の透過波長に対して２チャネルずらしている（Ｌ＝２）。
【００７１】
図２６は、図２５の光波長群クロスコネクト装置における、カラーレスＡＷＧ、光スイッチ、および主方路における装置全体の損失の波長チャネル依存性を示したグラフである。後段のカラーレスＡＷＧ２４１０の透過波長は前段のカラーレスＡＷＧ２４０１に対し２チャネルずらしてあるため、それぞれの損失の波長チャネル依存性も２チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例の主方路における装置全体の損失の波長チャネル依存性は２．８ｄＢ、最悪チャネルの損失は８．７ｄＢとなり、ともに従来の特性よりも改善されている。
【００７２】
実施例４−２
図２７は、実施例４−２に係る光波長群クロスコネクト装置の構成を示す平面図である。本例の光波長群クロスコネクト装置は、第４の実施形態においてＫ＝８、Ｌ＝４の場合に相当し、ＬがＫ／２に最も近い整数である。ここで、２７０１は前段の１×８カラーレスＡＷＧ、２７０２〜２７０９は２×１光スイッチ、２７１０は後段の８×１カラーレスＡＷＧ、２７１１は主方路入力、２７１２はアド方路入力、２７１３は主方路出力である。図２８は、図２７の光波長群クロスコネクト装置における、前段のカラーレスＡＷＧ２７０１、および後段のカラーレスＡＷＧ２７１０の各ポートの透過波長を示した図である。各カラーレスＡＷＧ２７０１、２７１０の波長チャネル間隔は０．８ｎｍ（１００ＧＨｚ）、自由スペクトル領域は８チャネルすなわち６．４ｎｍである。ここで各透過波長λ１〜λ４０は、図３０において説明した１５５０ｎｍ帯の４０波長と同一である。前段のカラーレスＡＷＧは分波回路、後段のカラーレスＡＷＧは合波回路として機能し、後段のカラーレスＡＷＧの中央ポート（入力ポート５）の透過波長は、前段のカラーレスＡＷＧの中央ポート（出力ポート５）の透過波長に対して４チャネルずらしている（Ｌ＝４）。
【００７３】
図２９は、図２７の光波長群クロスコネクト装置における、カラーレスＡＷＧ、光スイッチ、および主方路における装置全体の損失の波長チャネル依存性を示したグラフである。後段のカラーレスＡＷＧ２７１０の透過波長は前段のカラーレスＡＷＧ２７０１に対し４チャネルずらしてあるため、それぞれの損失の波長チャネル依存性も４チャネルずれた分布となっている。光スイッチの損失に波長チャネル依存性は無い。装置全体の損失は、前段のカラーレスＡＷＧ、後段のカラーレスＡＷＧ、および光スイッチの損失の和であるので、カラーレスＡＷＧの損失ポート依存性が平均化される。その結果、本例の主方路における装置全体の損失の波長チャネル依存性は０．７ｄＢ、最悪チャネルの損失は７．７ｄＢとなり、ともに従来の特性よりも改善されている。
【００７４】
以上４つの実施の形態から、本発明により、損失の波長チャネル依存性に優れ、かつ最悪チャネルの損失が小さい、カラーレスＡＷＧを用いた光波長群クロスコネクト装置を得ることが可能である。
【００７５】
全ての実施の形態では、入出力方路数Ｍ、Ｎを特定の値に限定したが、本発明の適用範囲は、この値に限定されるものではなく、それぞれ１以上の任意の整数で本発明の効果を得ることができる。
【００７６】
全ての実施の形態では、カラーレスＡＷＧのポート数、すなわち取り扱う光波長群の数Ｋを特定の値に限定したが、本発明の適用範囲は、この値に限定されるものではなく、２以上の任意の整数で本発明の効果を得ることができる。
【００７７】
全ての実施の形態では、前段のカラーレスＡＷＧに対して、後段のカラーレスＡＷＧの透過波長をずらすチャネル数Ｌを特定の値に限定したが、Ｌは１以上でＫより小さい整数であれば、本発明の効果を得ることができる。
【００７８】
全ての実施の形態では、カラーレスＡＷＧのチャンル波長間隔を特定の値に限定したが、本発明の適用範囲は、このパラメータに限定されるものではない。
【図面の簡単な説明】
【００７９】
【図１】本発明の実施例１−１に係る光波長群クロスコネクト装置の構成を示した平面図である。
【図２】本発明の実施例１−１、１−３、１−５、２−１、２−３、２−５、３−１、３−３、３−５に係る光波長群クロスコネクト装置における、前段および後段のカラーレスＡＷＧでの各ポートの透過波長を示した図である。
【図３】本発明の実施例１−１、１−３、１−５に係る光波長群クロスコネクト装置における、カラーレスＡＷＧおよび装置全体の挿入損失の波長チャネル依存性を示すグラフである。
【図４】本発明の実施例１−２に係る光波長群クロスコネクト装置の構成を示した平面図である。
【図５】本発明の実施例１−２、１−４、１−６、３−２、３−４、３−６、３−２、３−４、３−６に係る光波長群クロスコネクト装置における、前段および後段のカラーレスＡＷＧでの各ポートの透過波長を示した図である。
【図６】本発明の実施例１−２、１−４、１−６に係る光波長群クロスコネクト装置における、カラーレスＡＷＧおよび装置全体の挿入損失の波長チャネル依存性を示すグラフである。
【図７】本発明の実施例１−３に係る光波長群クロスコネクト装置の構成を示した平面図である。
【図８】本発明の実施例１−４に係る光波長群クロスコネクト装置の構成を示した平面図である。
【図９】本発明の実施例１−５に係る光波長群クロスコネクト装置の構成を示した平面図である。
【図１０】本発明の実施例１−６に係る光波長群クロスコネクト装置の構成を示した平面図である。
【図１１】本発明の実施例２−１、２−２に係る光波長群クロスコネクト装置の構成を示した平面図である。
【図１２】本発明の実施例２−１、２−３、２−５に係る光波長群クロスコネクト装置における、カラーレスＡＷＧ、光スイッチ、および装置全体の挿入損失の波長チャネル依存性を示すグラフである。
【図１３】本発明の実施例２−２、２−４、２−６に係る光波長群クロスコネクト装置における、カラーレスＡＷＧおよび装置全体の挿入損失の波長チャネル依存性を示すグラフである。
【図１４】本発明の実施例２−３、２−４に係る光波長群クロスコネクト装置の構成を示した平面図である。
【図１５】本発明の実施例２−５、２−６に係る光波長群クロスコネクト装置の構成を示した平面図である。
【図１６】本発明の実施例３−１に係る光波長群クロスコネクト装置の構成を示した平面図である。
【図１７】本発明の実施例３−１、３−３、３−５に係る光波長群クロスコネクト装置における、カラーレスＡＷＧ、光スイッチ、および装置全体の挿入損失の波長チャネル依存性を示すグラフである。
【図１８】本発明の実施例３−２に係る光波長群クロスコネクト装置の構成を示した平面図である。
【図１９】本発明の実施例３−２、３−４、３−６に係る光波長群クロスコネクト装置における、カラーレスＡＷＧ、光スイッチ、および装置全体の挿入損失の波長チャネル依存性を示すグラフである。
【図２０】本発明の実施例３−３に係る光波長群クロスコネクト装置の構成を示した平面図である。
【図２１】本発明の実施例３−４に係る光波長群クロスコネクト装置の構成を示した平面図である。
【図２２】本発明の実施例３−５に係る光波長群クロスコネクト装置の構成を示した平面図である。
【図２３】本発明の実施例３−６に係る光波長群クロスコネクト装置の構成を示した平面図である。
【図２４】本発明の実施例４−１に係る光波長群クロスコネクト装置の構成を示した平面図である。
【図２５】本発明の実施例４−１に係る光波長群クロスコネクト装置における、前段および後段のカラーレスＡＷＧでの各ポートの透過波長を示した図である。
【図２６】本発明の実施例４−１に係る光波長群クロスコネクト装置における、カラーレスＡＷＧ、光スイッチ、および主方路における装置全体の挿入損失の波長チャネル依存性を示すグラフである。
【図２７】本発明の実施例４−２に係る光波長群クロスコネクト装置の構成を示した平面図である。
【図２８】本発明の実施例４−２に係る光波長群クロスコネクト装置における、前段および後段のカラーレスＡＷＧでの各ポートの透過波長を示した図である。
【図２９】本発明の実施例４−２に係る光波長群クロスコネクト装置における、カラーレスＡＷＧ、光スイッチ、および主方路における装置全体の挿入損失の波長チャネル依存性を示すグラフ
【図３０】カラーレスＡＷＧの合分波特性の例を示した図である。
【図３１】カラーレスＡＷＧにおける、各波長チャネルの挿入損失を示した図である。
【図３２】従来技術による固定型光波長群クロスコネクト装置の構成の一例を示した平面図である。
【図３３】従来技術による光波長群クロスコネクト装置における、前段および後段のカラーレスＡＷＧでの各ポートの透過波長を示した図である。
【図３４】従来技術による可変型光波長群クロスコネクト装置の構成を示した平面図である。
【図３５】従来技術による可変型光波長群クロスコネクト装置の別の構成を示した平面図である。
【図３６】従来技術による光波長群クロスコネクト装置（ＲＯＡＤＭ装置のアド機能部）の構成を示した平面図である。
【図３７】従来技術による光波長群クロスコネクト装置（ＲＯＡＤＭ装置のアド機能部）における、前段および後段のカラーレスＡＷＧでの各ポートの透過波長を示した図である。
【図３８】従来技術による固定型光波長群クロスコネクト装置における、カラーレスＡＷＧ、光スイッチ、および装置全体の挿入損失の波長チャネル依存性を示したグラフである。
【図３９】従来技術による可変型光波長群クロスコネクト装置における、カラーレスＡＷＧ、光スイッチ、および装置全体の挿入損失の波長チャネル依存性を示したグラフである。
【図４０】従来技術による可変型光波長群クロスコネクト装置の別例における、カラーレスＡＷＧ、光スイッチ、および装置全体の挿入損失の波長チャネル依存性を示したグラフである。
【図４１】従来技術による光波長群クロスコネクト装置（ＲＯＡＤＭ装置のアド機能部）における、カラーレスＡＷＧ、光スイッチ、および主方路における装置全体の挿入損失の波長チャネル依存性を示す図である。
【符号の説明】
【００８０】
１０１〜１０２、４０１〜４０２、７０１〜７０４、８０１〜８０４、９０１、１００１、１１０１〜１１０２、１４０１〜１４０４、１５０１、１６０１〜１６０２、１８０１〜１８０２、２００１〜２００４、２１０１〜２１０４、２２０１、２３０１、２４０１、２７０１、３２０１〜３２０４、３４０１〜３４０４、３５０１〜３５０５、３６０１  前段のカラーレスＡＷＧ
１０３、４０３、７０５、８０５、９０２、１００２、３２０５  光接続路
１１０３、１４０３、１５０２、１６０３〜１６０７、１８０３〜１８０７、２００５〜２００９、２１０５〜２１０９、２２０２〜２２０６、２３０２〜２３０６、２４０２〜２４０９、２７０２〜２７０９、３４０５、３５０５〜３５０９、３６０２〜３６０９  光スイッチ
１０４〜１０７、４０４〜４０７、７０６〜７０９、８０６〜８０９、９０３〜９０６、１００１〜１００６、１１０４〜１１０７、１４０４〜１４０７、１５０３〜１５０６、１６０８〜１６１１、１８０８〜１８１１、２０１０〜２０１３、２１１０〜２１１３、２２０７〜２２１０、２３０７〜２３１０、２４１０〜２４１３、２７１０〜２７１３、３２０６〜３２０９、３４０６〜３４０９、３５１０〜３５１３、３６１０  後段のカラーレスＡＷＧ
２４１１、２７１１、３６１１  主方路入力
２４１２、２７１２、３６１２  アド方路入力
２４１２、２７１２、３６１２  主方路出力
３００１  入力ポート
３００２  カラーレスＡＷＧ回路
３００３  出力ポート
【図１】
0005164153.tif 000002
【図２】
0005164153.tif 000003
【図３】
0005164153.tif 000004
【図４】
0005164153.tif 000005
【図５】
0005164153.tif 000006
【図６】
0005164153.tif 000007
【図７】
0005164153.tif 000008
【図８】
0005164153.tif 000009
【図９】
0005164153.tif 000010
【図１０】
0005164153.tif 000011
【図１１】
0005164153.tif 000012
【図１２】
0005164153.tif 000013
【図１３】
0005164153.tif 000014
【図１４】
0005164153.tif 000015
【図１５】
0005164153.tif 000016
【図１６】
0005164153.tif 000017
【図１７】
0005164153.tif 000018
【図１８】
0005164153.tif 000019
【図１９】
0005164153.tif 000020
【図２０】
0005164153.tif 000021
【図２１】
0005164153.tif 000022
【図２２】
0005164153.tif 000023
【図２３】
0005164153.tif 000024
【図２４】
0005164153.tif 000025
【図２５】
0005164153.tif 000026
【図２６】
0005164153.tif 000027
【図２７】
0005164153.tif 000028
【図２８】
0005164153.tif 000029
【図２９】
0005164153.tif 000030
【図３０】
0005164153.tif 000031
【図３１】
0005164153.tif 000032
【図３２】
0005164153.tif 000033
【図３３】
0005164153.tif 000034
【図３４】
0005164153.tif 000035
【図３５】
0005164153.tif 000036
【図３６】
0005164153.tif 000037
【図３７】
0005164153.tif 000038
【図３８】
0005164153.tif 000039
【図３９】
0005164153.tif 000040
【図４０】
0005164153.tif 000041
【図４１】
0005164153.tif 000042